(57)【要約】【課題】光が入射される透光性の被照明板が目視された場合に太陽電池パネルが目立って視認されることを抑制できるとともに、製造する上において太陽電池パネルの利用率を向上できるようにした照明装置を提供する。【解決手段】装置本体2に透光性の表示板（被照明板）15を取付ける。発電ユニット21を表示板15の裏面に対向するように装置本体2に内蔵する。ユニット21は光電変換をする太陽電池パネル23を有している。照明ユニット25を装置本体2に取付ける。このユニット25は、太陽電池パネル23が発電した電力が蓄えられる蓄電池の電力により発光されるとともに表示板15の表裏面間の側面15bに光を照射する発光素子28を有している。目隠し部材31を、太陽電池パネル23の光入射面を覆ってこのパネルと表示板15との間に配設する。この目隠し部材31は、太陽電池パネル23を発電させる波長の光の透過を許すとともに表示板15側からの発電ユニット21の透視を抑制することを特徴としている。【選択図】      図２
2009175533.tif 000002
【特許請求の範囲】
【請求項１】
装置本体と、
この装置本体に取付けられた透光性の被照明板と、
光電変換をする太陽電池パネルを有して前記被照明板の裏面に対向するように前記装置本体に内蔵された発電ユニットと、
前記太陽電池パネルが発電した電力が蓄えられる蓄電池の電力により発光されるとともに前記被照明板の表裏面間の側面に光を照射する発光素子を有して前記装置本体に取付けられた照明ユニットと、
前記太陽電池パネルの光入射面を覆ってこの太陽電池パネルと前記被照明板との間に配設され、前記太陽電池パネルを発電させる波長の光の透過を許すとともに前記被照明板側からの前記発電ユニットの透視を抑制する目隠し部材と、
を具備したことを特徴とする照明装置。
【請求項２】
前記目隠し部材が微細な光通孔を全域にわたって有したシートからなることを特徴とする請求項１に記載の照明装置。
【請求項３】
前記目隠し部材が透光性の保持パネルの裏面に接して保持されているとともに、前記目隠し部材が前記太陽電池パネルの表面に接していることを特徴とする請求項２に記載の照明装置。
【請求項４】
前記被照明板に表示用の彫刻が施されていることを特徴とする請求項１から３の内のいずれか一項に記載の照明装置。
【発明の詳細な説明】
【技術分野】
【０００１】
本発明は、例えば、居住者の名等を表示して家の戸口や門柱等に掲げられる表札装置、郵便ポストにおいて居住者の名等を表示するポスト用表札装置、或いは看板、若しくは防犯等のために物体の接近が感知されたことに基づいて照明を開始する発光装置等として使用される照明装置に関する。
【背景技術】
【０００２】
従来、装置の前面部に太陽電池を配置するとともに、この太陽電池の上方でかつ前方に突出された装置の上部に光を下向きに照射する照明装置を配設し、装置上部の下方でかつ太陽電池の前方に、彫刻が施された透明硝子板又は透明樹脂板を太陽電池と平行でかつ対向するように配置した太陽電池電源式表札看板が知られている(例えば、特許文献１参照。)。
【０００３】
この太陽電池電源式表札看板では、太陽電池で発電し、蓄電池に蓄えられた電力により照明装置を発光させることより、透明硝子板又は透明樹脂板の端面に光を照射して、この板に彫刻された文字や図柄を浮かび上がらせて、夜間の視認性を向上させることができる。
【特許文献１】実用新案登録第３１０６１３６号公報（請求項１、段落0005-0007、図１−図３）
【発明の開示】
【発明が解決しようとする課題】
【０００４】
表札板として機能する彫刻付きの硝子板又は樹脂板は、その後方に対向して配置された太陽電池に光を入射させるために透明である。そのために、表札を読もうとする人が、表札板の彫刻を目視する場合、太陽電池の表面状態が容易に透視される。したがって、太陽電池の表面状態等が表札板の彫刻と重なって視認されることにより、彫刻が見づらく表示性能がよくないという問題がある。
【０００５】
しかも、太陽電池は、所定数の光電変換素子を直列に接続して絶縁基板の片面に配置し、この絶縁基板全体を、光電変換をする波長を通す合成樹脂内に埋めて封止してなるので、その製造過程を原因として、太陽電池の表面が荒れる場合があるとともに、太陽電池の表面の色が所定の色と異なる場合がある。このような太陽電池は、機能的には十分であっても、それを用いた場合、その表面の色彩不良等により、更に、表札板の彫刻が見づらくなる。
【０００６】
同様に、太陽電池は、その機能が十分であっても、形状が所定の形状とは異なっている場合があるとともに、所定形状であってもその配置が適正になされていない場合がある。これら形状不良や配置不良の場合においても、それが表札板側から透視されるので、表札板の彫刻が見づらくなることがある。
【０００７】
したがって、太陽電池電源式表札看板の製造において色彩等の表面状態不良又は形状不良等がある太陽電池は、それ自体の外観検査で不良品として廃棄せざるを得ない。これとともに、太陽電池電源式表札看板において太陽電池の配置不良を生じた場合には、太陽電池の配置のし直しや交換を余儀なくされることがあり、その改善が求められている。
【０００８】
本発明の目的は、光が入射される透光性の被照明板が目視された場合に太陽電池パネルが目立って視認されることを抑制できるとともに、製造する上において太陽電池パネルの利用率を向上できるようにした照明装置を提供することにある。
【課題を解決するための手段】
【０００９】
請求項１の発明は、装置本体と、この装置本体に取付けられた透光性の被照明板と、光電変換をする太陽電池パネルを有して前記被照明板の裏面に対向するように前記装置本体に内蔵された発電ユニットと、前記太陽電池パネルが発電した電力が蓄えられる蓄電池の電力により発光されるとともに前記被照明板の表裏面間の側面に光を照射する発光素子を有して前記装置本体に取付けられた照明ユニットと、前記太陽電池パネルの光入射面を覆ってこの太陽電池パネルと前記被照明板との間に配設され、前記太陽電池パネルを発電させる波長の光の透過を許すとともに前記被照明板側からの前記発電ユニットの透視を抑制する目隠し部材と、を具備したことを特徴としている。
【００１０】
この請求項１の発明では、被照明板を透過した太陽光等の光が、目隠し部材を透過して発電ユニットの太陽電池パネルに入射されるに伴い、太陽電池パネルが発電して、その電力が蓄電池に蓄えられる。蓄電池の電力が照明ユニットの発光素子に供給されることにより発光素子が発光して、その光が被照明板の側面からこの被照明板内に入射されて、被照明板が照明される。そのため、被照明板に彫刻等からなる表示が施されている場合、この被照明板は表札や看板等として用いられ、その表示を発光素子の光によって際立たせることができ、又、被照明板に表示が施されていない場合、この被照明板を二次光源として周囲を照明することができる。
【００１１】
請求項１の発明が備える目隠し部材は、発電ユニットをそれに対する光の入射側から覆っているので、被照明板が目視された場合、発電ユニットの存在を目立たせないように機能する。これにより、発光素子の発光の有無に拘らず、発電ユニットが見え難くなるので、被照明板に彫刻等からなる表示が施されている場合、発電ユニットの太陽電池パネルによって被照明板の表示が見づらくなることが抑制されて、この表示の視認性を向上できる。これとともに、既述のように発電ユニットが視認され難いので、その太陽電池パネルが機能的に十分であれば、このパネルに色彩などの表面性状の不良があっても、形状が不良であっても、或いは配置が不良であっても、使用することが可能である。したがって、本発明の照明装置ではこれに使用する太陽電池パネルの利用率が向上されて、資源効率を高めることができる。
【００１２】
請求項２の発明は、請求項１の発明において、前記目隠し部材が微細な光通孔を全域にわたって有したシートからなることを特徴としている。
【００１３】
この請求項２の発明では、材料コストが廉価なシートにより目隠し部材を形成したので、この部材を備えた照明装置全体のコストを低減できる。
【００１４】
請求項３の発明は、請求項２の発明において、前記目隠し部材が透光性の保持パネルの裏面に接して保持されているとともに、前記目隠し部材が前記太陽電池パネルの表面に接していることを特徴としている。
【００１５】
この請求項３の発明では、照明装置を組み立てる上で、シートよりなる目隠し部材をこの部材を保持した保持パネルと一体に取扱えるので、照明装置の組立性を向上するのに有効である。これとともに、目隠し部材が、保持パネルの裏面及び太陽電池パネルの表面に夫々接しているので、屋外等で使用される照明装置にあって、目隠し部材の微細な光通孔が塵埃により目詰まりすることがない。したがって、太陽光等の光が目隠し部材を透過する性能が長期間にわたり低下することがなく、太陽電池パネルの発電性能を持続できる。
【００１６】
請求項４の発明は、請求項１から３の内のいずれか一項の発明において、前記被照明板に表示用の彫刻が施されていることを特徴としている。
【００１７】
この請求項４の発明では、透光性の被照明板の表示用の彫刻が、この被照明板の裏側に配置されて発電ユニットの太陽電池パネルによって見づらくなることが抑制され、この彫刻の視認性が向上されるので、例えば表札装置等の表示装置として有効に実施できる。
【発明の効果】
【００１８】
請求項１から４に係る発明の照明装置によれば、光が入射される透光性の被照明板が目視された場合に太陽電池パネルが目立って視認されることを抑制できるとともに、製造する上において太陽電池パネルの利用率を向上できる、という効果がある。
【発明を実施するための最良の形態】
【００１９】
図面を参照して本発明の一実施形態を説明する。
【００２０】
図１〜図３（Ａ）中符号１は照明装置例えば表札装置を示している。表札装置１は、装置本体２と、被照明板例えば表示板１５と、発電ユニット２１と、照明ユニット２５と、目隠し部材３１と、保持パネル３５とを具備している。
【００２１】
装置本体２は、合成樹脂又は金属製であり、裏板３と表カバー５とを連結して形成されている。
【００２２】
図２に示すように裏板３は、四角形状であって、その下縁及び左右両側縁にわたって連続しかつ前方に突出する曲げ縁３ａを有しているとともに、上縁から折り曲げられて斜め前上方に突出する受け縁３ｂを有している。この裏板３の左右方向の中央位置の上部には、ダルマ孔状の取付け孔４が開けられている。この取付け孔４を通る図示しない固定ねじにより裏板３が例えば家の戸口に固定されるようになっている。
【００２３】
図２に示すように表カバー５は、四角枠状の枠体６と、ヘッド８と、左右一対の側板９とを連結してなる。
【００２４】
図３（Ａ）に示すように枠体６の下縁６ａは後方に突出して折り曲げられている。枠体６の上縁６ｂは、前方に突出して折り曲げられた後更に上向きに折り曲げられている。この上縁６ｂの少なくとも一箇所例えば複数個所具体的には二箇所に、上縁６ｂを上下方向に貫通する通孔７が開けられている。
【００２５】
ヘッド８は、枠体６の上縁６ｂの上向きに折り曲げられた部位に固定されて、枠体６の上側に連続して設けられている。ヘッド８の開放された下端は、枠体６の上縁６ｂより下方に位置されていて上縁６ｂを覆っている。ヘッド８の後面は開放されているとともに、この開放された後面を上側から仕切る下向きの後縁８ａは、斜め上前側に折り曲げられていて、断面略Ｖ字状をなしている。
【００２６】
左右の側板９はヘッド８及び枠体６の左右両端に連結されている。これらの側板９の上部は、ヘッド８の左右両端を塞いでいるとともに、枠体６の左右両端に対して後方に折れ曲がるように連続している。
【００２７】
表カバー５の枠体６の複数個所具体的には枠体６の四隅の夫々に、連結部材例えば貫通した雌ねじ孔を有するナット１０が溶接止めや接着止め等により固定されている。これらのナット１０は、スペーサ及びパネル固定部材を兼ねて枠体６から前方に突出されているが、その雌ねじ孔は表カバー５の裏面にも開放されている。
【００２８】
装置本体２は以下の手順で組立てられている。まず、裏板３をその取付け孔４に通された図示しないねじにより家の戸口に固定する。次に、固定された裏板３にその前側から表カバー５を被せる。この場合、表カバー５の上縁６ｂを、裏板３の受け縁３ｂの裏側に上方から差し込むように係合させるとともに、裏板３の曲げ縁３ａが表カバー５の周部内面に重なるようにする。これにより、表カバー５内に嵌合された裏板３によって、表カバー５の裏面が閉じられる。最後に、図２及び図３（Ａ）に示す連結ねじ１１を、表カバー５の下縁６ａに上向きにねじ込んで、この下縁６ａの上に重なっている裏板３の曲げ縁３ａに螺合させることにより、装置本体２の組立てが完了される。なお、連結ねじ１１は少なくとも一本用いればよい。
【００２９】
表示板１５は、透光性のパネル、例えば透明なアクリル樹脂板、又は透明なガラス板で成形されている。表示板１５は、四角形状であるとともに、枠体６と略同じ大きさである。表示板１５はその表面と裏面との少なくとも一方に表示（図示しない）を有している。この表示は、文字や図柄などからなり、彫刻によって設けることが好ましい。
【００３０】
この表示板１５は装置本体２にその前方に露出して取付けられている。具体的には、枠体６の前側でかつヘッド８の下側に配置されて、装置本体２が有した枠体６に表示板１５が取付けられている。枠体６への表示板１５の取付けは、表示板１５がその四隅に有した取付け孔１５ａをナット１０に合わせた状態で、各取付け孔１５ａの夫々に化粧ねじ１６を通してナット１０に螺合することによりなされている。なお、ナット１０に対する前方からの化粧ねじ１６のねじ込み深さは、図４に示すようにナット１０の軸方向長さの略半分程度である。
【００３１】
こうした表示板１５の取付けによって、図３(Ａ)(Ｂ)に示すように表示板１５が、ナット１０をスペーサとして枠体６の前面から所定距離隔たった状態でこの枠体６の前面と平行に配置される。これとともに、表示板１５は、その表裏面間の上側の側面１５ｂを前記通孔７の直下に対向させて配置される。
【００３２】
発電ユニット２１は、後述のように装置本体２に内蔵されるものであって、図２及び図３(Ｂ)に示すように支持板２２と、一個又は複数個具体的には３個の太陽電池パネル２３とを備えている。太陽電池パネル２３の使用個数は、表札装置１に求められる発生電力に応じて決められる。
【００３３】
支持板２２は金属板や合成樹脂板で作られている。支持板２２は、この支持板２２の前面に開放する凹部２２ａを太陽電池パネル２３の使用数と同数有している。支持板２２の周部２２ｂの前面及び凹部２２ａ間の仕切り部２２ｃの前面は、凹部２２ａの底面に対して同じ高さ位置にある。これとともに、支持板２２は、その周部２２ｂから枠体６の裏面に当接するように前向きに折れ曲がった位置決め用の周縁２２ｄを有している。
【００３４】
凹部２２ａの夫々に太陽電池パネル２３が嵌合して接着剤により固定されている。複数の太陽電池パネル２３は電気的に直列に接続されている。これら太陽電池パネル２３が発電した電力は蓄電池２４に蓄えられるようになっている。図３（Ａ）に示すように蓄電池２４は表カバー５のヘッド８内に配設されている。この蓄電池２４は後述する回路基板２６に搭載すること望ましい。
【００３５】
図３（Ａ）に示すように照明ユニット２５は、回路基板２６、この回路基板２６に搭載された点灯制御用の各種の電気部品２７、及び発光素子２８等を備えている。
【００３６】
回路基板２６はその下端部を支持板２２の上部にねじ止めにより連結されている。この回路基板２６はヘッド８に内蔵される。回路基板２６には蓄電池２４が電気的に接続されていて、蓄電池２４の電力は電気部品２７を介して発光素子２８に供給されるようになっている。なお、この電力供給は、電気部品２７がタイマー機能を有する場合には、季節ごとに予め定められた時間帯のみ実施しても良く、或いは、こうした供給制御をすることなく常時連続して供給することもできる。
【００３７】
発光素子２８には例えば発光ダイオードが使用される。発光素子２８は表カバー５の通孔７と同数使用されていて、その先端を通孔７に上方から対向させて若しくは上方から挿通させて配置されている。これにより、発光素子２８から出射された光が、表示板１５の上側の側面１５ｂに照射されるようになっている。
【００３８】
目隠し部材３１は、太陽電池パネル２３を発電させる波長の光の透過を許すとともに、表示板１５側からの発電ユニット２１の透視を抑制する機能を有したものであり、具体的には多数の微細な光通過孔（図示しない）を全域にわたって有した例えば黒色系のシートからなる。各光通過孔の好ましい孔径(直径)は0.3〜0.7ｍｍであるとともに、その孔間隔は0.8〜1.2mmであることが好ましい。
【００３９】
この目隠し部材３１は、図３（Ｂ）に示すように太陽電池パネル２３の前面からなる光入射面を覆って、太陽電池パネル２３と表示板１５との間に配置されている。すなわち、目隠し部材３１は、保持パネル３５の裏面に面接触して保持されている。そして、この保持パネル３５とともに目隠し部材３１が前記位置に配置されている。
【００４０】
保持パネル３５は透光性材料例えば透明アクリル樹脂板からなる。この保持パネル３５の周部３５ａの肉厚はこの周部３５ａで囲まれた部分の肉厚より薄くなっているとともに、保持パネル３５の周部３５ａで囲まれた部分は前記周部３５ａより前方に突出された状態に形成されている。
【００４１】
次に、表札装置１の組立てについて説明する。
【００４２】
まず、発電ユニット２１を組立てた後に、その支持板２２の上端部に照明ユニット２５をねじ止めしたアセンブリを組立てる。これとともに、発電ユニット２１の太陽電池パネル２３と蓄電池２４との電気的接続を行う。
【００４３】
この後、目隠し部材３１が裏面に保持された保持パネル３５を、表カバー５の裏側から枠体６の開口に嵌合させて組み合わせる。これにより、図３（Ｂ）に示すように保持パネル３５の周部３５ａが枠体６の開口の周りに枠体６の裏側から接して、枠体６に保持パネル３５が位置決めされるとともに、枠体６の開口が保持パネル３５で閉じられる。
【００４４】
次に、この保持パネル３５の裏側に前記アセンブリを配置するとともに、蓄電池２４及び照明ユニット２５を表カバー５のヘッド８内に収容する。この組立てにおいては、図３（Ｂ）に示すように支持板２２の周縁２２ｄが保持パネル３５の周部３５ａに嵌合されることにより、保持パネル３５に保持された目隠し部材３１が、各太陽電池パネル２３の表面に面接触するように前記アセンブリが配置される。この配置によって、アセンブリが位置決めされて、支持板２２が有した複数の連結孔２２ｅ（図２参照）の夫々が対応する位置のナット１０に夫々連通される。
【００４５】
この状態で、各連結孔２２ｅに連結ボルト３７を前方に向けて貫通させるとともにナット１０に夫々螺合する。それにより、表カバー５の裏側に前記アセンブリが連結されるとともに、このアセンブリと表カバー５の枠体６との間に、目隠し部材３１が接着された保持パネル３５が挟まれて、目隠し部材３１が各太陽電池パネル２３の前面に密接される。同時に、表カバー５のヘッド８内に収容された照明ユニット２５の発光素子２８が、枠体６の上縁６ｂに開けた通孔７の真上に配置される。
【００４６】
この後、連結ねじ１１を用いて既述の手順で装置本体２を組立てる。これにより、目隠し部材３１を保持した保持パネル３５及び前記アセンブリが、装置本体２に収容される。
【００４７】
最後に、表カバー５が有した枠体６の前側に、表カバー５の前方から化粧ねじ１６を用いて表示板１５を取付ける。これにより、表示板１５が枠体６の前方にこの枠体６の開口を前側から覆うように配置されて、表札装置１の組立てが完了される。組立てが完了した状態を図１及び図３（Ａ）に示す。この状態で発電ユニット２１は、枠体６との間に目隠し部材３１付きの保持パネル３５を挟んで、表示板１５の裏面に対向するように装置本体２に内蔵されている。
【００４８】
以上の組立てでは、腰が弱いシートよりなる目隠し部材３１を保持パネル３５と一体に取扱えるので、表札装置１の組立性がよい。これとともに、目隠し部材３１が、保持パネル３５の裏面及び太陽電池パネル２３の表面に夫々接した状態に保持されるので、屋外等で使用される表札装置１にあって、目隠し部材３１の微細な光通孔が塵埃により目詰まりすることがない。したがって、長期間にわたり、太陽光等の光が目隠し部材３１を透過する性能が低下することがなく、太陽電池パネル２３の光電変換による発電性能を持続できる。
【００４９】
又、組立てられた表札装置１の使用状態では、透光性の表示板１５を透過した太陽光等の光が、透明な保持パネル３５及び目隠し部材３１の光通孔を透過して、発電ユニット２１の太陽電池パネル２３に入射される。このため、太陽電池パネル２３が発電して、その電力が蓄電池２４に蓄えられる。
【００５０】
そして、この蓄電池２４の電力は照明ユニット２５の発光素子２８に供給されるので、この発光素子２８が発光する。それにより、発光素子２８が発した光が、表札として用いられている表示板１５の上側の側面１５ｂから表示板１５内に入射されて、この表示板１５が照明される。したがって、表示板１５に彫刻された表示を、発光素子２８の光によって際立たせることができる。
【００５１】
こうした使用状態で、表示板１５が目視された場合、発電ユニット２１をそれに対する光の入射側から覆っている目隠し部材３１によって、発電ユニット２１の存在が目立たないようにできる。そのため、発光素子２８の発光の有無に拘らず、発電ユニット２１を透視し難くなるので、表示板１５の表示が、発電ユニット２１の太陽電池パネル２３によって見え難くなることが抑制されて、この表示の視認性を向上できる。特に、本実施形態では、微細な光通孔を全域にわたって有した目隠し部材３１が例えば黒味を帯びた背景として見えるので、発光素子２８が発光している場合、表示板１５の表示が目隠し部材３１の色との関係でより際立つので、表示の視認性を更に向上する上で好ましい。
【００５２】
そして、既述のように表札装置１の発電ユニット２１が視認され難いので、その太陽電池パネル２３には、機能的に十分であれば、色彩などの表面性状が不良であっても、形状が不良であっても、或いは配置が不良であっても、使用することが可能である。したがって、目隠し部材３１の使用に伴い太陽電池パネル２３への光の入射が抑制されて発電効率が低下するにも拘らず、表札装置１で使用する太陽電池パネル２３の利用率が向上されて、資源効率を高めることができる。
【００５３】
本発明は前記一実施形態には制約されない。例えば、目隠し部材３１としては、光通孔付きの黒色系シートに代えて、このシートからなる目隠し部材３１と同様なメッシュの網体を用いることも可能である。この網体は、黒色系等の合成樹脂製で成形される網体であっても良いが、黒色系等の繊維や金属の線材を編んでなる網体を用いることができ、その場合、線径が0.15〜0.25mmの黒色系網線をピッチ間隔0.5〜0.7mmで編んだ網体を用いることが好ましい。
【００５４】
本発明では、前記シートや網体に代えて可視光フィルターを目隠し部材として用いることも可能である。可視光フィルターは、太陽電池パネルの光源変換をするための波長の光は通すが、それ以外の波長の光は通さない性能を有したものであり、したがって、このフィルターを用いることで、太陽電池パネルの受光とこのパネルの視認を抑制することができる。なお、現状では可視光フィルターのコストは非常に高価であるので、前記一実施形態のように材料コストが廉価なシートにより目隠し部材を形成することは、この目隠し部材を備えた照明装置全体のコストを低減できる点で好ましい。
【００５５】
又、前記一実施形態では、表示板(被照明板)をその上側の側面から発光素子で照明したが、照明ユニットを表示板(被照明板)の左右の内の少なくとも一方に配置して、表示板(被照明板)の左右少なくとも一方の側面をその側方から照明することもできる。或いは、複数方向、例えば、表示板(被照明板)の上方と側方から光を照射して表示板(被照明板)を照明することもできる。
【００５６】
更に、本発明は、表札装置だけではなく、ポスト用表札装置、或いは看板、若しくは防犯等のために物体の接近が感知されたことに基づいて照明を開始する発光装置等としても使用できる。
【００５７】
なお、前記一実施形態で説明したアセンブリ及び表示板１５の表カバー５への取付けは以下のようにしても良い。まず、外周が六角をなすと共に前面に開放されたねじ穴を有するスペーサ部、及びこのスペーサ部の後面中央部から一体に突出されかつスペーサ部より小径のボルト部を有した段付き構造の連結部材を、ナットに代えて用いて表カバー５の枠体６に固定する。この固定は、枠体６の例えば四隅に設けたねじ孔の夫々に、枠体６の前面に連結部材の段部が当たるまで枠体６の前側からボルト部をねじ込んで、このボルト部を枠体６の裏側に突出させることによりなされる。次に、表カバー５の裏側に前記アセンブリを重ねて、このアセンブリが有した支持板２２の連結孔２２ａの夫々にボルト部を挿通させた後に、これらボルト部に夫々ナットを螺合し締め付けることにより、表カバー５と前記アセンブリを連結する。この後、スペーサ部の前端に表示板１５を当てて、この表示板１５を前カバー５の前側に位置決めし、その状態で、化粧ねじ１６を表示板１５に通してスペーサ部のねじ穴に螺合することにより表示板１５を固定する。以上により、表カバー５に前記アセンブリ及び表示板１５を取付けることができる。
【図面の簡単な説明】
【００５８】
【図１】本発明の一実施形態に係る表札装置を示す斜視図。
【図２】図１の表札装置を示す分解斜視図。
【図３】（Ａ）は図１の表札装置を示す断面図。（Ｂ）は図３（Ａ）中Ｆ３Ｂ部を拡大して示す断面図。
【図４】図３（Ｂ）中Ｆ４部を示す断面図。
【符号の説明】
【００５９】
１…表札装置（照明装置）、２…装置本体、１５…表示板（被照明板）、１５ｂ…表示板の側面、２１…発電ユニット、２３…太陽電池パネル、２４…蓄電池、２５…照明ユニット、２８…発光素子、３１…目隠し部材、３５…保持パネル
【図１】
2009175533.tif 000003
【図２】
2009175533.tif 000004
【図３】
2009175533.tif 000005
【図４】
2009175533.tif 000006